(57)【要約】【課題】仮設足場用筋交いに備えられる斜材や水平材を架設する支柱構造体において、使用されないくさび受け部をなくすとともに、くさび受け部の取り付け位置を自在に選択可能な支柱構造体を提供する。【解決手段】仮設足場のための支柱構造体１０であって、円柱状の棒部材２１からなり、前記棒部材２１の中心軸ａ１と直交して貫通しかつ該棒部材２１の軸方向の同一線上位置に所定間隔で複数形成された貫通穴部２２を有する支柱本体２０と、前記支柱本体２０の外周に挿通可能な円筒体３１からなり、前記円筒体３１の中心軸ａ２と直交して貫通する固定穴部３２と、前記固定穴部３２と前記円筒体３１の軸方向の同一線上位置及びそれと９０度位相が異なる位置の前記円筒体３１の外周面に一体に延設された４つのくさび受け部３３とを有する可動くさび受け部材３０と、前記支柱本体２０の前記貫通穴部２２と前記可動くさび受け部材３０の前記固定穴部３２とに一体に挿通される固定ピン部４１を有するロック部材４０とを備えたことを特徴とする。【選択図】図１
2014031633.tif 000002
【特許請求の範囲】
【請求項１】
仮設足場のための支柱構造体であって、
円柱状の棒部材からなり、前記棒部材の中心軸と直交して貫通しかつ該棒部材の軸方向の同一線上位置に所定間隔で複数形成された貫通穴部を有する支柱本体と、
前記支柱本体の外周に挿通可能な円筒体からなり、前記円筒体の中心軸と直交して貫通する固定穴部と、前記固定穴部と前記円筒体の軸方向の同一線上位置及びそれと９０度位相が異なる位置の前記円筒体の外周面に一体に延設された４つのくさび受け部とを有する可動くさび受け部材と、
前記支柱本体の前記貫通穴部と前記可動くさび受け部材の前記固定穴部とに一体に挿通される固定ピン部を有するロック部材
とを備えたことを特徴とする仮設足場の支柱構造体。
【請求項２】
前記ロック部材が、前記固定ピン部と一体に形成され前記固定ピン部の前記可動くさび受け部材への挿通時に前記可動くさび受け部材の円筒体外周面に当接する円弧状把持部を有する請求項１に記載の仮設足場の支柱構造体。
【請求項３】
前記可動くさび受け部材の前記固定穴部が前記各くさび受け部と前記円筒体の軸方向の同一線上位置に４つ形成され、該４つの固定穴部のうちの対向する２つの固定穴部が他の対向する固定穴部と互いに異なった高さ位置に形成されている請求項１又は２に記載の仮設足場の支柱構造体。
【発明の詳細な説明】
【技術分野】
【０００１】
本発明は、仮足場のための支柱構造体に関する。
【背景技術】
【０００２】
建築物等の工事等に際し、建築物の外周に仮設足場が設置される。この場合、まず複数本の支柱が所定間隔で配置される。各支柱間には足場板が架設されて複数階層の足場が形成される。このような仮設足場の架設作業にあっては、上方への足場の継ぎ足し作業の安全対策として、足場板を架設させる前に、斜材、水平材、または垂直材等の足場材を手すりとして先行して配置される。
【０００３】
足場材は足場支柱のくさび受け部（ホルダー）に対して取り外し可能に係着された水平材に架設される（例えば、特許文献１参照。）。一般的な足場支柱の場合、当該支柱の周囲に９０度ずつ４箇所配置される。斜材や水平材等は、２本の足場支柱間で対向するくさび受け部、あるいは対向位置にあるくさび受け部の左右いずれかのくさび受け部同士に架設される。
【０００４】
図７に示すように、水平材等が架設される高さを調整可能とするために、支柱の軸方向にくさび受け部２が４５０ｍｍピッチなど一定間隔で複数配置され、作業者の背丈等を考慮して、斜材３や水平材４等を架設するくさび受け部２を自由に選択して足場が組み立てられる。しかしながら、一定間隔で複数配置されたくさび受け部２では水平材４等が架設されず使用されないくさび受け部２が存在する。くさび受け部２は支柱外周面に一体に延設して配置されることから、使用されないくさび受け部材２が支柱から突出し作業者の衣服に引っかかり作業に支障をきたす恐れがある。
【先行技術文献】
【特許文献】
【０００５】
【特許文献１】特許第４７５４５１６号公報
【発明の概要】
【発明が解決しようとする課題】
【０００６】
本発明は、前記の点に鑑みなされたものであって、仮設足場用筋交いに備えられる斜材や水平材を架設する支柱構造体において、使用されないくさび受け部をなくすとともに、くさび受け部の取り付け位置を自在に選択可能な支柱構造体を提供する。
【課題を解決するための手段】
【０００７】
すなわち、請求項１の発明は、仮設足場のための支柱構造体であって、円柱状の棒部材からなり、前記棒部材の中心軸と直交して貫通しかつ該棒部材の軸方向の同一線上位置に所定間隔で複数形成された貫通穴部を有する支柱本体と、前記支柱本体の外周に挿通可能な円筒体からなり、前記円筒体の中心軸と直交して貫通する固定穴部と、前記固定穴部と前記円筒体の軸方向の同一線上位置及びそれと９０度位相が異なる位置の前記円筒体の外周面に一体に延設された４つのくさび受け部とを有する可動くさび受け部材と、前記支柱本体の前記貫通穴部と前記可動くさび受け部材の前記固定穴部とに一体に挿通される固定ピン部を有するロック部材とを備えたことを特徴とする仮設足場の支柱構造体に係る。
【０００８】
請求項２の発明は、前記ロック部材が、前記固定ピン部と一体に形成され前記固定ピン部の前記可動くさび受け部材への挿通時に前記可動くさび受け部材の円筒体外周面に当接する円弧状把持部を有する請求項１に記載の仮設足場の支柱構造体に係る。
【０００９】
請求項３の発明は、前記可動くさび受け部材の前記固定穴部が前記各くさび受け部と前記円筒体の軸方向の同一線上位置に４つ形成され、該４つの固定穴部のうちの対向する２つの固定穴部が他の対向する固定穴部と互いに異なった高さ位置に形成されている請求項１又は２に記載の仮設足場の支柱構造体に係る。
【発明の効果】
【００１０】
請求項１の発明に係る支柱構造体によると、仮設足場のための支柱構造体であって、円柱状の棒部材からなり、前記棒部材の中心軸と直交して貫通しかつ該棒部材の軸方向の同一線上位置に所定間隔で複数形成された貫通穴部を有する支柱本体と、前記支柱本体の外周に挿通可能な円筒体からなり、前記円筒体の中心軸と直交して貫通する固定穴部と、前記固定穴部と前記円筒体の軸方向の同一線上位置及びそれと９０度位相が異なる位置の前記円筒体の外周面に一体に延設された４つのくさび受け部とを有する可動くさび受け部材と、前記支柱本体の前記貫通穴部と前記可動くさび受け部材の前記固定穴部とに一体に挿通される固定ピン部を有するロック部材とを備えることから、水平材等を架設する箇所のみにくさび受け部を高さ自在に配置する箇所を選択することができ、使用されないくさび受け部をなくすことができる。
【００１１】
請求項２の発明に係る支柱構造体によると、請求項１の発明において、前記ロック部材が、前記固定ピン部と一体に形成され前記固定ピン部の前記可動くさび受け部材への挿通時に前記可動くさび受け部材の円筒体外周面に当接する円弧状把持部を有することから、ロック部材の抜けを防止し、支柱構造体の安定を図ることができる。
【００１２】
請求項３の発明に係る支柱構造体によると、請求項１又は２の発明において、前記可動くさび受け部材の前記固定穴部が前記各くさび受け部と前記円筒体の軸方向の同一線上位置に４つ形成され、該４つの固定穴部のうちの対向する２つの固定穴部が他の対向する固定穴部と互いに異なった高さ位置に形成されていることから、くさび受け部の位置を垂直方向に調節可能となり、従来のくさび受け部の配置される間隔よりも細かな調整が容易に行うことができる。
【図面の簡単な説明】
【００１３】
【図１】本発明に係る支柱構造体の一実施例を示す斜視図である。
【図２】可動くさび受け部材のバリエーション例を示す斜視図である。
【図３】ロック部材のバリエーション例を示す斜視図である。
【図４】円弧状把持部を有するロック部材を挿通した支柱構造体の断面図である。
【図５】ロック部材の装着方法を示す側面図である。
【図６】異なる高さで可動くさび受け部材を装着した支柱構造体の斜視図である。
【図７】従来の支柱に斜材と水平材を架設した仮設足場の正面図である。
【発明を実施するための形態】
【００１４】
図１に示す本発明の一実施例に係る仮設足場の支柱構造体１０は、支柱本体２０と可動くさび受け部３０とロック部材４０とを備えたことを特徴としている。
【００１５】
支柱本体２０は、図１に示すように、貫通穴部２２を有する円柱状の棒部材２１からなる。貫通穴部２２は、棒部材２１の中心軸ａ１と直行して貫通し、かつ軸方向の同一線上位置に、所定間隔ごとに形成される。貫通穴部２２が配置される間隔は、４５０ｍｍや４７５ｍｍ等適宜設定される。
【００１６】
可動くさび受け部材３０は、支柱本体２０に水平材等が架設される高さを調節可能とするために、支柱本体２０に対して高さ自在に取付可能とされ、図１に示すように、可動くさび受け部材３０は支柱本体２０の外周に挿通可能な円筒体３１からなり、円筒体３１の中心軸ａ２と直交して貫通する固定穴部３２が形成される。また、可動くさび受け部材３０には、くさび受け部３３が斜材や水平材等の連結部を係合し保持するために、固定穴部３２と円筒体３１の軸方向の同一線上位置及びそれと９０度位相が異なる位置の円筒体３１の外周面に、４つのくさび受け部３３が外周面に一体に延設されている。
【００１７】
この可動くさび受け部材３０では、固定穴部３２とくさび受け部３３が同一線上位置に配置されることにより、支柱本体２０に固定する場合において、くさび受け部３３の位置が回転することなく配置されるため、固定する高さ毎に支柱本体２０を回転させてくさび受け部３３の位置を調節するといった煩雑な作業を要しない。また、複数個の可動くさび受け部材３０を支柱本体２０に配置するときにも、支柱本体２０の貫通穴部２２は同一線上に配置されていることから、各可動くさび受け部材３０の向きは一定に固定され、それぞれに配置されたくさび受け部材３３のズレを生じない。実施例では、各くさび受け部３３と円筒体３１の軸方向の同一線上位置に固定穴部３２が４つ形成され、該４つの固定穴部３２のうち対向する２つの固定穴部３２ａが他の対向する固定穴部３２ｂと互いに異なった高さ位置に形成されている。
【００１８】
くさび受け部３３の形状は水平材等のくさび部の形状等により適宜選択されるため、特に限定されないが、例えば、図１に示すように、固定穴部３２と円筒体３１の軸方向の同一線上位置及びそれと９０度位相が異なる位置の円筒体３１の外周面に形成された４つのくさび受け部３３の高さがすべて同じ可動くさび受け部材３０がある。また、他のバリエーション例としては、図２（ａ）に示すように円筒体３１の軸方向の同一線上及びそれと９０度位相が異なる位置に４つ形成され、該４つのくさび受け部材３３のうち対向する２つのくさび受け部３３（３３ａ）が他の対向する２つのくさび受け部材３３（３３ｂ）と互いに異なる高さ位置に形成される可動くさび受け部材３０Ａがある。この可動くさび受け部材３０Ａは、くさび受け部３３（３３ａ，３３ｂ）の高さが互いに異なることから、斜材等のくさび部の形状が幅広であっても、他のくさび部に当接することなく架設することができる。さらに、図２（ｂ）に示すように、十字状の鍔部材３４が溶接等により円筒体３１に固定され、鍔部材３４にくさび受け穴３６が形成され、鍔縁部３５により囲まれたくさび受け部３３ｃを有する可動くさび受け部材３０Ｂがある。可動くさび受け部材３０Ｂは一枚の鍔部材３４からなることから、溶接箇所が少なく円筒体３１に容易に固定することができる。
【００１９】
ロック部材４０は、図１，３に示すように、固定ピン部４１を有し、固定ピン部４１を支柱本体２０に形成された貫通穴部２２と可動くさび受け部３０の固定穴部３２に一体に挿通させることにより、支柱本体２０と可動くさび受け部材３０を一体に固定する。すなわち、支柱本体２０に形成された複数の貫通穴部２２のうち、適宜選択した貫通穴部２２に対応して可動くさび受け部材３０の固定穴部３２を合わせて固定することにより、くさび受け部３３を所望する高さ位置に選択的に配置することが可能である。
【００２０】
ロック部材４０のバリエーション例を図３に示す。図３（ａ）に示すロック部材４０Ａは、固定穴部３２と貫通穴部２２に差し込んだときに、所定箇所で止まるようＬ字状の部材で構成される。図３（ｂ）に示すロック部材４０Ｂも同様に所定箇所で止まるようにねじのような頭部材４３を有する。また、図３（ｃ）に示し、請求項２に記載のロック部材４０Ｃは、固定ピン部４１と一体に形成された円弧状把持部４２を有する。円弧状把持部４２は可動くさび受け部材３０の円筒部３１に外接する半径を持つ円弧または半円形状に成形される。ロック部材４０Ｃでは、図４に示すように、円弧状把持部４２が可動くさび受け部材３０の円筒体３１外周面に当接することにより、固定ピン部４１が抜け方向Ｄに移動したときでも、円弧状把持部４２の端部４２ｅが円筒体３１外周部に引っかかる。これにより、貫通穴部２２と固定穴部３２に挿通した固定ピン部４１が抜けなくなり、可動くさび受け部材３０の安定を図ることができる。
【００２１】
次に、図１に示す本発明の支柱構造体１０の設置例について説明する。支柱本体２０の外周に可動くさび受け部材３０を挿通し、支柱本体２０の貫通穴部２２と可動くさび受け部材３０の固定穴部３２を合致させ、各穴部２２，３３にロック部材４０の固定ピン部４１を挿通することにより一体に固定され設置される。この時、支柱本体２０の棒部材２１の軸方向に複数配置された貫通穴部２２のうち任意の貫通穴部２２に可動くさび受け部材を固定することにより、高さ自在に取付が可能となる。同様に、水平材等の取付の必要数に応じた複数の可動くさび受け部材３０が取り付けられる。このように、可動くさび受け部材３０が必要な箇所のみに取り付けられるので、使用されない箇所にはくさび受け部３３が配置されない。
【００２２】
円弧状把持部４２を有するロック部材４０Ｃにより支柱本体２０に可動くさび受け部材３０を固定する場合は、図５に示すように、ロック部材４０Ｃを傾けて、可動くさび受け部材３０の固定穴部３２と支柱本体２０の貫通穴部２２に、固定ピン部４１を対向する固定穴部３２と貫通穴部２２に貫通するまで挿通しさせる。次いで、該ロック部材４０Ｃの円弧状把持部４２が可動くさび受け部材２０の円筒体３１外周面に当接するように固定ピン部４１を軸として回転させて係止することにより、支柱本体２０と可動くさび受け部材３０を一体に固定する。これにより、ロック部材４０Ｃが横ズレすることがなくなるため、固定ピン部４１の抜けを防止することができる。装着する向きについては、固定ピン部４１が上方、円弧状把持部４２が下方に来るような配置で挿通することが好ましい。円弧状把持部４２が固定ピン部４１よりも下方で円筒体３１外周面に当接することによりロック部材４０Ｃがそれ以上回転することなく、固定され安定するためである。
【００２３】
可動くさび受け部材３０の高さ位置の微調整方法について図６を用いて説明する。以下では、便宜的に上方に位置する対向する２つの固定穴部３２を上側固定穴部３２ａ、下方に位置する対向する固定穴部３２を下側固定穴部３２ｂと呼ぶ。
【００２４】
可動くさび受け部材３０を支柱本体２０に固定する場合に、貫通穴部２２と上側固定穴部３２ａを合致させて固定した時のくさび受け部３３の位置と、貫通穴部２２と下側固定穴部３２ｂを合致させて固定した時のくさび受け部３３の位置との差分で水平材等が配置される間隔を調整することができる。つまり、支柱本体２０の貫通穴部２２の間隔に加えて、上側固定穴部３２ａもしくは下側固定穴部３２ｂのどちらか一方を選択して係着することによる高さの調節が可能となる。上側固定穴部３２ａと下側固定穴部３２ｂとはくさび受け部３３と同様に軸方向の同一線上位置及びそれと９０度位相が異なることから、可動くさび受け部材３０を９０度回転させて固定する。また、上側固定穴部３２ａと下側固定穴部３２ｂのどちらを選択して装着したとしても、くさび受け部３３の向きに変更はないため、斜材等を設置する際に支柱本体２０の向きを調整する必要はなく簡単に設置することができる。
【００２５】
これまでに図示し説明してきたように、本実施例の支柱構造体１０は、支柱本体２０に複数形成された貫通穴部２２のうち適宜選択した貫通穴部２２に可動くさび受け部材３０を固定することにより、くさび受け部３３の取り付け位置を高さ自在に選択可能とすることができた。また、必要箇所にのみくさび受け部３３を配置するため、使用しないくさび受け部がなくなり、作業者の衣服の引っかかり等を防ぎ、安全性の向上を図ることができた。加えて、４つの固定穴部３２のうち対向する２つの固定穴部３３ａと他の対向する固定穴部３２ｂとが互いに異なる高さ位置に形成されることにより、くさび受け部３３の位置を垂直方向に調節可能となり、従来のくさび受け部の配置される間隔よりも細かな調整が容易に行うことができた。
【００２６】
また、ロック部材４０が円弧状把持部４２を有する構成とすることにより、単純な構成でロック部材４０の抜けを防止し、安定して固定することができる。
【符号の説明】
【００２７】
１０  支柱構造体
２０  支柱本体
２１  棒部材
２２  貫通穴部
３０  可動くさび受け部材
３１  円筒体
３２  固定穴部
３３  くさび受け部
４０  ロック部材
４１  固定ピン部
４２  円弧状把持部
【図１】
2014031633.tif 000003
【図２】
2014031633.tif 000004
【図３】
2014031633.tif 000005
【図４】
2014031633.tif 000006
【図５】
2014031633.tif 000007
【図６】
2014031633.tif 000008
【図７】
2014031633.tif 000009